(57)【要約】      （修正有）【課題】円の中心点を容易かつ正確に設定できるコンパスを提供する。【解決手段】先端に刺芯１５を有する中心軸部１４と、上記中心軸部１４の後端部で接合部２０を介して回動可能に上記中心軸部に固定される筆記具支持軸部２１とを備えたコンパス１０ａであって、上記刺芯１５は黒色に形成されている。【選択図】図１
0003179264.tif 000002
【実用新案登録請求の範囲】
【請求項１】
先端に刺芯を有する中心軸部と、上記中心軸部の後端部で接合部を介して回動可能に上記中心軸部に固定される筆記具支持軸部とを備えたコンパスであって、上記刺芯は紙面及び中心軸部の色彩とコントラストがある色彩に形成されていることを特徴とするコンパス。
【請求項２】
。
上記中心軸部は銀色に形成されていると共に、刺芯は黒色に形成されていることを特徴とする請求項１記載のコンパス。
【請求項３】
上記筆記具は鉛筆であって、筆記具支持軸部は、鉛筆を着脱可能に保持しうるように鉛筆保持部を有することを特徴とする請求項１又は２のいずれか１項に記載のコンパス。
【請求項４】
上記筆記具はノック式シャープペンシルであって、筆記具支持軸部は、ノック式シャープペンシルとして形成されていることを特徴とする請求項１又は２のいずれか1項に記載のコンパス。
【請求項５】
上記筆記具支持部には筆記芯ホルダーが取り付けられていることを特徴とする請求項１又は２のいずれか１項に記載のコンパス。
【請求項６】
上記中心軸部の先端部には、軸方向にスライドして、非使用時には上記刺芯を被覆しうると共に使用時には刺芯を露出しうるカバー部材が設けられていることを特徴とする請求項１、２、３、４又は５のいずれか１項に記載のコンパス。
【考案の詳細な説明】
【技術分野】
【０００１】
本考案は、コンパスの改良に関する。
【背景技術】
【０００２】
従来より、広く、コンパスが使用されている。このようなコンパスは、先端に刺芯を有する中心軸部と、中心軸部の後部で接合部を介して回動可能に固定される筆記具支持軸部とを備えている。このようなコンパスは、一般的に円を描くための文房具であることから中心点を正確に設定することが重要となる。
【０００３】
しかしながら、従来のコンパスにあっては、一般的に刺芯は銀色であって、使用者にとっては刺芯が明瞭に視認できず、中心軸部を正確に円の中心となるように紙面上にセットすることが難しい場合があった。このような事情は、特に、使用者が低学年者又は年少者の場合には切実であった。
【考案の開示】
【考案が解決しようとする課題】
【０００４】
本考案はこのような従来からの不具合を解決するためのものであって、その課題は、円の中心点を容易かつ正確に設定できるコンパスを提供することにある。
【課題を解決するための手段】
【０００５】
上記課題達成のため、請求項１記載の考案にあっては、先端に刺芯を有する中心軸部と、中心軸部の後端部で接合部を介して回動可能に固定される筆記具支持軸部とを備えたコンパスであって、上記刺芯は紙面及び中心軸部の色彩とコントラストがある色彩に形成されていることを特徴とする。
【０００６】
請求項２記載の考案にあっては、上記中心軸部は銀色に形成されていると共に、刺芯は黒色に形成されていることを特徴とする。
【０００７】
請求項３記載の考案にあっては、上記筆記具は鉛筆であって、筆記具支持軸部は、鉛筆を着脱可能に保持しうるように鉛筆保持部を有することを特徴とする。
【０００８】
請求項４記載の考案にあっては、上記筆記具はノック式シャープペンシルであって、筆記具支持軸部は、ノック式シャープペンシルとして形成されていることを特徴とする。
【０００９】
請求項５記載の考案にあっては、上記筆記具支持部には筆記芯ホルダーが取り付けられていることを特徴とする。
【００１０】
請求項６記載の考案にあっては、上記中心軸部の先端部には、軸方向にスライドして、非使用時には上記刺芯を被覆しうるカバー部材が設けられていることを特徴とする。
【考案の効果】
【００１１】
請求項１記載の考案に、請求項１記載の考案にあっては、先端に刺芯を有する中心軸部と、中心軸部の後端部で接合部を介して回動可能に固定される筆記具支持軸部とを備えたコンパスであって、上記刺芯は紙面及び中心軸部の色彩とコントラストがある色彩に形成されていることから、使用者の使用時に刺芯の位置を明確に視認することができ、刺芯を、希望する位置に確実に設定することができる。その結果、請求項１記載の考案にあっては、使用者は希望する位置に正確に円を描くことができる、という効果を奏する。
【００１２】
請求項２記載の考案にあっては、上記中心軸部は銀色に形成されていると共に、刺芯は黒色に形成されていることから、請求項１記載の考案の効果に加えて、コンパス本体内において刺芯の部位を明確に視認することができると共に、様々な色彩が付された紙面上に円を描く場合であっても、刺芯は黒色であることから明確に刺芯の位置を視認することができ、その結果、希望する位置に円を描くことができる。
【００１３】
請求項３記載の考案にあっては、上記筆記具は鉛筆であって、筆記具支持軸部は、鉛筆を着脱可能に保持しうるように鉛筆保持部を有することから、請求項１及び２記載の考案の効果に加えて、一般の鉛筆を使用できるコンパスを提供することができる。
【００１４】
請求項４記載の考案にあっては、上記筆記具はノック式シャープペンシルであって、筆記具支持軸部は、ノック式シャープペンシルとして形成されていることから、ノック式シャープペンシル形式の、芯出しの容易なコンパスを提供することができる。
【００１５】
請求項５記載の考案にあっては、上記筆記具支持部には筆記芯ホルダーが取り付けられていることから、一般的なコンパスと同様に筆記芯により使用することができる。
【００１６】
請求項６記載の考案にあっては、上記中心軸部の先端部には、軸方向にスライドして、非使用時には上記刺芯を被覆しうると共に使用時には刺芯を露出しうるカバー部材が設けられていることから、請求項１〜５記載の考案の効果に加えて、非使用時には刺芯がカバー部材により被覆され、使用者は刺芯により手指等を傷つけられる可能性を払拭でき安全な使用ができる。
【図面の簡単な説明】
【００１７】
【図１】本考案に係るコンパスの一実施の形態を示す斜視図であって、筆記具支持軸部に鉛筆を着脱可能に保持しうる鉛筆保持部を備えるコンパスの状態を示した図である。
【図２】本考案に係るコンパスの一実施の形態を示す平面図であって、筆記具支持軸部はノック式シャープペンシルとして形成されているコンパスの状態を示した図である。
【図３】本考案に係るコンパスの一実施の形態を示す平面図であって、筆記具支持軸部には筆記芯ホルダーを備えるコンパスの状態を示した図である。
【考案を実施するための最良の形態】
【００１８】
以下、添付図面に示す実施の形態に基づき、本考案を詳細に説明する。
図１〜図３に示すように、本実施の形態は、先端に刺芯（１５）を有する上記中心軸部（１４）と、中心軸部（１４）の後端部で接合部（１２）を介して回動可能に上記中心軸部（１４）に固定される筆記具支持軸部（２５）とを備えたコンパス（１０ａ）、（１０ｂ）、（１０ｃ）である。
また、中心軸部（１４）は銀色に形成され、刺芯（１５）は黒色に形成されている。刺芯（１５）は紙面及び中心軸部（１４）の色彩とコントラストがある色彩に形成されているため、明瞭に視認することができ、円の中心点を容易かつ正確に設定できる。
また、中心軸部（１４）及び筆記具支持軸部（２５）の長さ方向の中央部付近には、表裏面とも凹み（１６）が形成されており、結果的にコンパス（１０ａ）、（１０ｂ）、（１０ｃ）の中心軸部（１４）と筆記具支持軸部（２５）との開閉動作が容易となる。
また、カバー部材（１７）は、スライド爪（１９）をカバー本体（２０）裏面の両側面に備えており、中心軸部（１４）の両側面に備わるスライド溝（２３）内を可動する。カバー部材（１７）により刺芯（１５）を覆うためには、刺芯（１５）先端方向にカバー部材（１７）をスライドさせ、スライド溝（２３）端部にスライド爪（１９）が達してから、カバー先端部付近を中心軸部（１４）に押し付けると、スライド爪（１９）が回動中心となって、中心軸部（１４）の先端部に備えられた係止穴（２４）に、カバー部材（１７）先端付近裏面に備える係止突起（２２）とが係合してカバー部材（１７）は固定される。カバー部材（１７）の固定を解除するためには、カバー部材（１７）の後端部の突部（１８）を押すと、係止突起（２２）が係止穴（２４）から抜け出して、カバー部材（１７）は可動する。また、カバー部材（１７）の後端部の突部（１８）及び中央部（２１）には滑り止のための複数の凸部が幅方向に備えられている。
【００１９】
図１に示すように、コンパス（１０ａ）は、筆記具支持軸部（２５）の先端に筆記具支持軸部（２５）の凹み（１６）とは反対方向に屈曲して配置された鉛筆挿通部（２６）と鉛筆（２９）を着脱可能に保持しうる鉛筆固定つまみ（２７）とから構成される鉛筆保持部（２８）を備えている。
上記、鉛筆挿通部（２６）には、筆記具支持軸部（２５）の長さ方向に沿って貫通する孔部（４３）が開設されており、孔部（４３）には、鉛筆（２９）が挿通されている。鉛筆挿通部（２６）の外側面部及び鉛筆固定つまみ（２７）の内側面部には、ねじ溝が設けられて互いに係合しており、鉛筆固定つまみ（２７）を締め付けることにより、鉛筆（２９）を固定できるように構成されている。また、鉛筆固定つまみ（２７）は、大型に形成されているため、使用者が把持しやすく、鉛筆の締めつけ及び取外しを容易にすることができる。
【００２０】
図２に示すように、コンパス（１０ｂ）は、筆記具支持軸部（２５）がノック式シャープペンシル部（３３）として一体に形成されており、ノック部（３０）と，芯収納部（３２）と，ノック式シャープペンシル本体部（３４）とから形成されている。また、ノック式シャープペンシル部（３３）の表裏面を貫通する確認穴（３１）を備えているため、透明な芯収納部（３２）を介して、シャープ芯（３６）の残芯状態を確認することができ、シャープ芯（３６）の補充を適時行うことができる。
【００２１】
図３に示すように、コンパス（１０ｃ）は、筆記具支持軸部（２５）の先端に筆記具支持軸部（２５）の凹み（１６）とは反対方向に屈曲して配置される筆記芯ホルダー（４１）を着脱可能に保持しうる筆記芯ホルダー挿通部（３７）を備えている。筆記芯ホルダー（３９）は筆記芯ホルダー挿通部（３７）を介して、筆記芯（４２）が挿通しうる径である中空を有し、長さ方向両端部に雄ねじ（図示せず）を有する筒状体の筆記芯ホルダー本体（３９）と、筆記芯ホルダー本体（３９）にねじ止め固定しうる雌ねじ（図示せず）と端部に芯補給穴（図示せず）を有するキャップ部材（３８）と、筆記芯ホルダー本体（３９）にねじ止め固定しうる雌ねじ（図示せず）と端部に芯突出穴（図示せず）を有する筆記芯ホルダーカバー部材（４０）とから構成されている。キャップ部材（３８）は、端部に上記芯補給穴を備えるため、筆記芯ホルダー（４１）の芯補給穴及び芯突出穴の双方から筆記芯（４２）を挿入することができる。
また図示しないが、筆記芯ホルダー本体（３９）先端部には二股部が形成されており、筆記芯（３９）を軸方向に沿って両側から把持しうるように形成されている。即ち、筆記芯ホルダーカバー部材（４０）を緩めて除去し、上記二股部により把持された筆記芯（４２）を指により適宜引き出して調節し、その後、筆記芯ホルダーカバー部材（４０）を装着して固定することにより、筆記芯（４２）の突出量を調整固定することができる。
なお、本実施の形態にあっては、中心軸部（１４）が銀色に形成されると共に、刺芯（１５）が黒色に形成されている場合を例に説明したが、これに限定されない。
【産業上の利用可能性】
【００２２】
本考案は、円の中心点を容易かつ正確に設定できるコンパスに適用することができるため、産業上の利用可能性を有している。
【符号の説明】
【００２３】
１０ａ コンパス鉛筆用
１０ｂ コンパスシャープペンシル用
１０ｃ コンパス替芯用
１１ つまみ
１２ 接合部
１３ 回動軸端
１４ 中心軸部
１５ 刺芯
１６ 凹み
１７ カバー部材
１８ 突部
１９ スライド爪
２０ カバー本体
２１ 中央部
２２ 係止突起
２３ スライド溝
２４ 係止穴
２５ 筆記具支持軸部
２６ 鉛筆挿通部
２７ 鉛筆固定つまみ
２８ 鉛筆保持部
２９ 鉛筆
３０ ノック部
３１ 確認穴
３２ 芯収納部
３３ ノック式シャープペンシル部
３４ ノック式シャープペンシル本体部
３５ 折れ止め
３６ シャープ芯
３７ 筆記芯ホルダー挿通部
３８ キャップ部材
３９ 筆記芯ホルダー本体
４０ 筆記芯ホルダーカバー部材
４１ 筆記芯ホルダー
４２ 筆記芯
４３ 孔部
【図１】
0003179264.tif 000003
【図２】
0003179264.tif 000004
【図３】
0003179264.tif 000005
【手続補正書】
【提出日】平成24年8月22日(2012.8.22)
【手続補正１】
【補正対象書類名】実用新案登録請求の範囲
【補正対象項目名】全文
【補正方法】変更
【補正の内容】
【実用新案登録請求の範囲】
【請求項１】
先端に刺芯を有する中心軸部と、上記中心軸部の後端部で接合部を介して回動可能に上記中心軸部に固定される筆記具支持軸部とを備えたコンパスであって、上記刺芯は黒色に形成されていることを特徴とするコンパス。
【請求項２】
上記中心軸部は銀色に形成されていることを特徴とする請求項１記載のコンパス。
【請求項３】
上記筆記具は鉛筆であって、筆記具支持軸部は、鉛筆を着脱可能に保持しうるように鉛筆保持部を有することを特徴とする請求項１又は２のいずれか１項に記載のコンパス。
【請求項４】
上記筆記具はノック式シャープペンシルであって、筆記具支持軸部は、ノック式シャープペンシルとして形成されていることを特徴とする請求項１又は２のいずれか1項に記載のコンパス。
【請求項５】
上記筆記具支持部には筆記芯ホルダーが取り付けられていることを特徴とする請求項１又は２のいずれか１項に記載のコンパス。
【請求項６】
上記中心軸部の先端部には、軸方向にスライドして、非使用時には上記刺芯を被覆しうると共に使用時には刺芯を露出しうるカバー部材が設けられていることを特徴とする請求項１、２、３、４又は５のいずれか１項に記載のコンパス。
【手続補正２】
【補正対象書類名】明細書
【補正対象項目名】全文
【補正方法】変更
【補正の内容】
【考案の詳細な説明】
【技術分野】
【０００１】
本考案は、コンパスの改良に関する。
【背景技術】
【０００２】
従来より、広く、コンパスが使用されている。このようなコンパスは、先端に刺芯を有する中心軸部と、中心軸部の後部で接合部を介して回動可能に固定される筆記具支持軸部とを備えている。このようなコンパスは、一般的に円を描くための文房具であることから中心点を正確に設定することが重要となる。
【０００３】
しかしながら、従来のコンパスにあっては、一般的に刺芯は銀色であって、使用者にとっては刺芯が明瞭に視認できず、中心軸部を正確に円の中心となるように紙面上にセットすることが難しい場合があった。このような事情は、特に、使用者が低学年者又は年少者の場合には切実であった。
【考案の開示】
【考案が解決しようとする課題】
【０００４】
本考案はこのような従来からの不具合を解決するためのものであって、その課題は、円の中心点を容易かつ正確に設定できるコンパスを提供することにある。
【課題を解決するための手段】
【０００５】
上記課題達成のため、請求項１記載の考案にあっては、先端に刺芯を有する中心軸部と、中心軸部の後端部で接合部を介して回動可能に固定される筆記具支持軸部とを備えたコンパスであって、上記刺芯は黒色に形成されていることを特徴とする。
【０００６】
請求項２記載の考案にあっては、上記中心軸部は銀色に形成されていることを特徴とする。
【０００７】
請求項３記載の考案にあっては、上記筆記具は鉛筆であって、筆記具支持軸部は、鉛筆を着脱可能に保持しうるように鉛筆保持部を有することを特徴とする。
【０００８】
請求項４記載の考案にあっては、上記筆記具はノック式シャープペンシルであって、筆記具支持軸部は、ノック式シャープペンシルとして形成されていることを特徴とする。
【０００９】
請求項５記載の考案にあっては、上記筆記具支持部には筆記芯ホルダーが取り付けられていることを特徴とする。
【００１０】
請求項６記載の考案にあっては、上記中心軸部の先端部には、軸方向にスライドして、非使用時には上記刺芯を被覆しうるカバー部材が設けられていることを特徴とする。
【考案の効果】
【００１１】
請求項１記載の考案に、請求項１記載の考案にあっては、先端に刺芯を有する中心軸部と、中心軸部の後端部で接合部を介して回動可能に固定される筆記具支持軸部とを備えたコンパスであって、上記刺芯は黒色に形成されていることから、円を描こうとしている紙面に対して色彩のコントラストが高くなり、使用者の使用時に刺芯の位置を明確に視認することができ、刺芯を、希望する位置に確実に設定することができる。その結果、請求項１記載の考案にあっては、使用者は希望する位置に正確に円を描くことができる、という効果を奏する。
【００１２】
請求項２記載の考案にあっては、上記中心軸部は銀色に形成されていることから、請求項１記載の考案の効果に加えて、コンパス本体において刺芯の部位を明確に視認することができる。
【００１３】
請求項３記載の考案にあっては、上記筆記具は鉛筆であって、筆記具支持軸部は、鉛筆を着脱可能に保持しうるように鉛筆保持部を有することから、請求項１及び２記載の考案の効果に加えて、一般の鉛筆を使用できるコンパスを提供することができる。
【００１４】
請求項４記載の考案にあっては、上記筆記具はノック式シャープペンシルであって、筆記具支持軸部は、ノック式シャープペンシルとして形成されていることから、ノック式シャープペンシル形式の、芯出しの容易なコンパスを提供することができる。
【００１５】
請求項５記載の考案にあっては、上記筆記具支持部には筆記芯ホルダーが取り付けられていることから、一般的なコンパスと同様に筆記芯により使用することができる。
【００１６】
請求項６記載の考案にあっては、上記中心軸部の先端部には、軸方向にスライドして、非使用時には上記刺芯を被覆しうると共に使用時には刺芯を露出しうるカバー部材が設けられていることから、請求項１〜５記載の考案の効果に加えて、非使用時には刺芯がカバー部材により被覆され、使用者は刺芯により手指等を傷つけられる可能性を払拭でき安全な使用ができる。
【図面の簡単な説明】
【００１７】
【図１】本考案に係るコンパスの一実施の形態を示す斜視図であって、筆記具支持軸部に鉛筆を着脱可能に保持しうる鉛筆保持部を備えるコンパスの状態を示した図である。
【図２】本考案に係るコンパスの一実施の形態を示す平面図であって、筆記具支持軸部はノック式シャープペンシルとして形成されているコンパスの状態を示した図である。
【図３】本考案に係るコンパスの一実施の形態を示す平面図であって、筆記具支持軸部には筆記芯ホルダーを備えるコンパスの状態を示した図である。
【考案を実施するための最良の形態】
【００１８】
以下、添付図面に示す実施の形態に基づき、本考案を詳細に説明する。
図１〜図３に示すように、本実施の形態は、先端に刺芯（１５）を有する上記中心軸部（１４）と、中心軸部（１４）の後端部で接合部（１２）を介して回動可能に上記中心軸部（１４）に固定される筆記具支持軸部（２５）とを備えたコンパス（１０ａ）、（１０ｂ）、（１０ｃ）である。
また、中心軸部（１４）は銀色に形成され、刺芯（１５）は黒色に形成されていることから、円を描こうとしている紙面に対して色彩のコントラストが高くなり、刺芯（１５）を明瞭に視認することができ、円の中心点を容易かつ正確に設定できる。
また、中心軸部（１４）及び筆記具支持軸部（２５）の長さ方向の中央部付近には、表裏面とも凹み（１６）が形成されており、結果的にコンパス（１０ａ）、（１０ｂ）、（１０ｃ）の中心軸部（１４）と筆記具支持軸部（２５）との開閉動作が容易となる。
また、カバー部材（１７）は、スライド爪（１９）をカバー本体（２０）裏面の両側面に備えており、中心軸部（１４）の両側面に備わるスライド溝（２３）内を可動する。カバー部材（１７）により刺芯（１５）を覆うためには、刺芯（１５）先端方向にカバー部材（１７）をスライドさせ、スライド溝（２３）端部にスライド爪（１９）が達してから、カバー先端部付近を中心軸部（１４）に押し付けると、スライド爪（１９）が回動中心となって、中心軸部（１４）の先端部に備えられた係止穴（２４）に、カバー部材（１７）先端付近裏面に備える係止突起（２２）とが係合してカバー部材（１７）は固定される。カバー部材（１７）の固定を解除するためには、カバー部材（１７）の後端部の突部（１８）を押すと、係止突起（２２）が係止穴（２４）から抜け出して、カバー部材（１７）は可動する。また、カバー部材（１７）の後端部の突部（１８）及び中央部（２１）には滑り止のための複数の凸部が幅方向に備えられている。
【００１９】
図１に示すように、コンパス（１０ａ）は、筆記具支持軸部（２５）の先端に筆記具支持軸部（２５）の凹み（１６）とは反対方向に屈曲して配置された鉛筆挿通部（２６）と鉛筆（２９）を着脱可能に保持しうる鉛筆固定つまみ（２７）とから構成される鉛筆保持部（２８）を備えている。
上記、鉛筆挿通部（２６）には、筆記具支持軸部（２５）の長さ方向に沿って貫通する孔部（４３）が開設されており、孔部（４３）には、鉛筆（２９）が挿通されている。鉛筆挿通部（２６）の外側面部及び鉛筆固定つまみ（２７）の内側面部には、ねじ溝が設けられて互いに係合しており、鉛筆固定つまみ（２７）を締め付けることにより、鉛筆（２９）を固定できるように構成されている。また、鉛筆固定つまみ（２７）は、大型に形成されているため、使用者が把持しやすく、鉛筆の締めつけ及び取外しを容易にすることができる。
【００２０】
図２に示すように、コンパス（１０ｂ）は、筆記具支持軸部（２５）がノック式シャープペンシル部（３３）として一体に形成されており、ノック部（３０）と，芯収納部（３２）と，ノック式シャープペンシル本体部（３４）とから形成されている。また、ノック式シャープペンシル部（３３）の表裏面を貫通する確認穴（３１）を備えているため、透明な芯収納部（３２）を介して、シャープ芯（３６）の残芯状態を確認することができ、シャープ芯（３６）の補充を適時行うことができる。
【００２１】
図３に示すように、コンパス（１０ｃ）は、筆記具支持軸部（２５）の先端に筆記具支持軸部（２５）の凹み（１６）とは反対方向に屈曲して配置される筆記芯ホルダー（４１）を着脱可能に保持しうる筆記芯ホルダー挿通部（３７）を備えている。筆記芯ホルダー（３９）は筆記芯ホルダー挿通部（３７）を介して、筆記芯（４２）が挿通しうる径である中空を有し、長さ方向両端部に雄ねじ（図示せず）を有する筒状体の筆記芯ホルダー本体（３９）と、筆記芯ホルダー本体（３９）にねじ止め固定しうる雌ねじ（図示せず）と端部に芯補給穴（図示せず）を有するキャップ部材（３８）と、筆記芯ホルダー本体（３９）にねじ止め固定しうる雌ねじ（図示せず）と端部に芯突出穴（図示せず）を有する筆記芯ホルダーカバー部材（４０）とから構成されている。キャップ部材（３８）は、端部に上記芯補給穴を備えるため、筆記芯ホルダー（４１）の芯補給穴及び芯突出穴の双方から筆記芯（４２）を挿入することができる。
また図示しないが、筆記芯ホルダー本体（３９）先端部には二股部が形成されており、筆記芯（３９）を軸方向に沿って両側から把持しうるように形成されている。即ち、筆記芯ホルダーカバー部材（４０）を緩めて除去し、上記二股部により把持された筆記芯（４２）を指により適宜引き出して調節し、その後、筆記芯ホルダーカバー部材（４０）を装着して固定することにより、筆記芯（４２）の突出量を調整固定することができる。
なお、本実施の形態にあっては、中心軸部（１４）が銀色に形成されると共に、刺芯（１５）が黒色に形成されている場合を例に説明したが、これに限定されない。
【産業上の利用可能性】
【００２２】
本考案は、円の中心点を容易かつ正確に設定できるコンパスに適用することができるため、産業上の利用可能性を有している。
【符号の説明】
【００２３】
１０ａ コンパス鉛筆用
１０ｂ コンパスシャープペンシル用
１０ｃ コンパス替芯用
１１ つまみ
１２ 接合部
１３ 回動軸端
１４ 中心軸部
１５ 刺芯
１６ 凹み
１７ カバー部材
１８ 突部
１９ スライド爪
２０ カバー本体
２１ 中央部
２２ 係止突起
２３ スライド溝
２４ 係止穴
２５ 筆記具支持軸部
２６ 鉛筆挿通部
２７ 鉛筆固定つまみ
２８ 鉛筆保持部
２９ 鉛筆
３０ ノック部
３１ 確認穴
３２ 芯収納部
３３ ノック式シャープペンシル部
３４ ノック式シャープペンシル本体部
３５ 折れ止め
３６ シャープ芯
３７ 筆記芯ホルダー挿通部
３８ キャップ部材
３９ 筆記芯ホルダー本体
４０ 筆記芯ホルダーカバー部材
４１ 筆記芯ホルダー
４２ 筆記芯
４３ 孔部